(57)【要約】【課題】ラベルに粘着層非形成部分が生じないので、ラベルが素電池から浮くことがなく、ラベルとの重なり代を大きく取ることができるので、摘子片を引っ張るときに、摘子片が外れたり、ずれたりすることが抑制されている電池パックを提供する。【解決手段】素電池２の一側面に保護回路を配した状態で、素電池２の各側面を外装枠３で覆い、素電池２の露出した二平面及び外装枠３の一部をラベル４で覆うことで電池パック１が構成される。摘子片５は、略矩形状であり、素電池２の裏面とラベル４との間に挟まれて固定される固定部と、前記裏面から突出した舌片状の突出部５２とを備えている。突出部５２が素電池２の表面側に折り畳まれた状態で、電池パック１は電子機器に収納される。【選択図】図１
2008171726.tif 000002
【特許請求の範囲】
【請求項１】
素電池と、該素電池の表面を覆うラベルと、摘子片とを有する電池パックにおいて、
前記摘子片は、
前記ラベルと前記表面との間に挟まれて固定される固定部と、
該固定部に連なり、前記表面から面方向に突出した突出部と
を有することを特徴とする電池パック。
【請求項２】
前記ラベルは、前記素電池に、端部同士が重なるように巻き付けられており、
前記固定部は、前記端部同士が重なる部分以外の部分と前記表面との間に固定されている請求項１に記載の電池パック。
【請求項３】
前記摘子片は、略矩形状を有する請求項１又は２に記載の電池パック。
【請求項４】
前記固定部は、前記突出部より幅広である請求項３に記載の電池パック。
【請求項５】
前記ラベルは、基材層と、該基材層の一面に形成される粘着層と、前記基材層の他面に貼着されるラミネート層とからなり、
前記固定部を挟む部分は、前記ラミネート層のみからなる請求項１乃至４のいずれかに記載の電池パック。
【請求項６】
前記固定部の表面に、文字、記号又は図が記録してある請求項５に記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池、具体的にはリチウムイオン二次電池等を有する電池パックに関する。
【背景技術】
【０００２】
近年、急速に普及しているビデオカメラ，モバイルコンピュータ，携帯電話機等の携帯電子機器の電源としては、充放電可能な直方体状の非水電解質二次電池、例えばリチウムイオン二次電池等が主として用いられている。リチウムイオン二次電池は、正極及び負極をセパレータを介して巻回した電極群、及び非水電解質を、アルミニウム又はアルミニウム合金製であり、直方体状をなすケースに収納して構成される。
【０００３】
このリチウムイオン二次電池（素電池）の一側面に、過充電及び過放電を防止するために電池電圧を制御する保護回路、及び素電池から外部へ電力を取り出し、又は外部から電力を取り込むための外部出力端子を有する回路基板を配置することにより電池コアが構成される。回路基板と素電池との間は接続用のリード板により電気的に接続されている。この電池コアの側面を絶縁性の、例えば合成樹脂製の外装枠で覆い、さらに素電池の二平面及び外装枠をラベルで覆って得られる電池パックが電子機器に装着される。
【０００４】
この電池パックの中には、前記外装枠に爪部が設けられており、電池パックを収納された電子機器から取り外す場合に、電子機器の電池蓋を開けた後、爪部を把持して引っ張り出すように構成されたものがある。
しかし、この電池パックの場合、爪部の分、電池パックの厚みが増すことになり、電池パックの薄型化に対応できないという問題があった。
【０００５】
そこで、爪部の代わりに、ラベルに取出片（摘子片）を設けた電池パックが開発された。
図１４は従来の電池パック１４を示す斜視図、図１５は電池パック１４を示す平面図、図１６は電池パック１４を示す裏面図、図１７はラベル８を示す平面図、図１８はラベル８の積層構造を示す斜視図である。
電池パック１４は、角型平板状の素電池２の一側面に保護回路（図示せず）を配した状態で、素電池２の各側面を合成樹脂製であり、矩形枠状の外装枠３で覆い、素電池２の露出した二平面及び外装枠３の一部をラベル８で覆うことで構成されている。
【０００６】
ラベル８の矩形状の本体８１の一長辺には、外装枠３の一辺の一部を覆って素電池２の裏面側に折り返される突設部８２が設けられており、他長辺には、外装枠３の前記一辺に対向する辺の一部を覆って素電池２の裏面側に折り返される突設部８３と、把持して取り出すための取出片８４とが設けられている。
【０００７】
図１８に示すように、ラベル８は、ポリエチレンテレフタレート（ＰＥＴ）製の基材層８ａと、基材層８ａの一面に形成される粘着層８ｂと、基材層８ａの他面に設けられ、ポリプロピレン（ＰＰ）製の表層及び接着剤層からなるラミネート層８ｃとを有している。
ラベル８は、基材層８ａの裏面に粘着剤を塗布して粘着層８ｂを形成した後、基材層８ａにラミネート層８ｃを貼着することにより作製される。
取出片８４はユーザの手に触れるため、取出片８４には粘着層８ｂが形成されないようにする必要があるが、この取出片８４の粘着層８ｂを削除するためには、基材層８ａへ粘着剤を塗布する工程で、取出片８４の裏面のみでなく、ラベル８の本体８１の取出片８４の延長部８５（図１７参照）も粘着剤を抜いておく必要があり、粘着剤未塗布部分８ｄが生じ、取出片８４と延長部８５とが粘着層非形成部分となる。
ラベル８により素電池２を覆った後、図１５及び図１６に示すように、取出片８４が素電池２の表面側に折り畳まれた状態で、電池パック１４が電子機器に収納される。
【０００８】
図１９は特許文献１等に記載された従来の電池パック１５を示す平面図、図２０は電池パック１５を示す裏面図、図２１はラベル９及び取出シート１０を示す平面図、図２２はラベル９の積層構造を示す斜視図である。図中、電池パック１４と同一部分は同一符号を付して詳細な説明を省略する。
ラベル９の矩形状の本体９１の一長辺には、外装枠３の一辺の一部を覆って素電池２の裏面側に折り返される突設部９２が設けられている。
取出シート１０は、外装枠３の前記一辺に対向する他辺に当接される当接部１０ａと、ラベル９と素電池２の裏面との間に挿入される第１固定用舌片１０ｂ，１０ｂと、ラベル９と素電池２の表面との間に挿入される第２固定用舌片１０ｃと、電子機器から電池パック１５を取り出す操作に供される取出用舌片１０ｄとを備えている。
【０００９】
図２２に示すように、ラベル９は、ＰＥＴ製の基材層９ａと、基材層９ａの一面に形成される粘着層９ｂと、基材層９ａの他面に設けられ、ＰＰ製の表層及び接着剤層からなるラミネート層９ｃとを有している。
外装枠３の前記他辺に取出シート１０の当接部１０ａを当接し、第１固定用舌片１０ｂ，１０ｂ、及び第２固定用舌片１０ｃを素電池２の裏面及び表面に配した上で、ラベル９を素電池２に巻き付けて電池パック１５が構成される。
そして、取出用舌片１０ｄが素電池２の表面側に折り畳まれた状態で、電池パック１５が電子機器に収納される。
【特許文献１】特開２００６−１７９１９６号公報
【発明の開示】
【発明が解決しようとする課題】
【００１０】
上述した従来の電池パック１４の場合、粘着層８ｂが形成されていない延長部８５で、ラベル８が素電池２から浮くという問題が生じていた。
また、電池パック１５の場合、第１固定用舌片１０ｂ，１０ｂ、及び第２固定用舌片１０ｃのラベル９との重なり代が小さいため、取出用舌片１０ｄを引っ張るときに、取出シート１０が外れたり、ずれたりするという問題があった。
【００１１】
本発明は、斯かる事情に鑑みてなされたものであり、摘子片が、ラベルと素電池の表面との間に挟まれて固定される固定部と、該固定部に連なり、前記表面から突出する突出部とを有するように構成することにより、摘子片がラベルから独立しており、固定部のみに容易に粘着剤を塗布することができ、ラベルに粘着層非形成部分が生じないので、ラベルが素電池から浮くことがなく、固定部によりラベルとの重なり代を大きく取ることができるので、突出部を引っ張るときに、摘子片が外れたり、ずれたりすることが抑制される電池パックを提供することを目的とする。
【００１２】
また、本発明は、素電池にラベルを端部同士が重なるように巻き付ける場合、固定部は、端部同士が重なる部分以外の部分と表面との間に固定されるように構成することにより、厚み増加を抑制することができる電池パックを提供することを目的とする。
【００１３】
そして、本発明は、摘子片が略矩形状を有することにより、突出部を引っ張るときに、摘子片が外れたり、ずれたりすることがより抑制されている電池パックを提供することを目的とする。
【００１４】
さらに、本発明は、固定部が突出部より幅広であるように構成することにより、突出部を引っ張るときに、摘子片が外れたり、ずれたりすることがより抑制されている電池パックを提供することを目的とする。
【００１５】
また、本発明は、ラベルの固定部を挟む部分は、ラミネート層のみからなるように構成することにより、固定部とラベルとが重なる部分の厚みが低減されている電池パックを提供することを目的とする。
【００１６】
そして、本発明は、固定部の表面に文字、記号又は図が記録されるように構成することにより、ラミネート層で覆われるので、ロットＮｏ．等の表示の耐摩耗性及び耐アルコール性が良好であり、また、ロットＮｏ．の表示用のラベルが不要となるので、部品点数が削減される電池パックを提供することを目的とする。
【課題を解決するための手段】
【００１７】
第１発明に係る電池パックは、素電池と、該素電池の表面を覆うラベルと、摘子片とを有する電池パックにおいて、前記摘子片は、前記ラベルと前記表面との間に挟まれて固定される固定部と、該固定部に連なり、前記表面から面方向に突出した突出部とを有することを特徴とする。
【００１８】
ここで、表面とは外側の面をいい、表側の面には限定されない。
本発明においては、摘子片がラベルから独立しているので、摘子片の固定部のみに容易に粘着剤を塗布することができる。従って、ラベルに摘子片を延設し、摘子片に連なるラベル本体部分には粘着層を形成しない従来の電池パックと異なり、固定部を素電池に貼着した上でさらに固定部にラベルを貼着することができ、ラベルが素電池から浮くという問題が生じることがない。
また、固定部によりラベルとの重なり代を大きく取ることができるので、突出部を引っ張るときに、摘子片が外れたり、ずれたりすることが抑制されている。
【００１９】
第２発明に係る電池パックは、第１発明において、前記ラベルは、前記素電池に、端部同士が重なるように巻き付けられており、前記固定部は、前記端部同士が重なる部分以外の部分と前記表面との間に固定されていることを特徴とする。
【００２０】
本発明においては、固定部は、端部同士が重なる部分以外の部分と表面との間に固定されるように構成されているので、電池パックの厚み増加を抑制することができる。
【００２１】
第３発明に係る電池パックは、第１又は第２発明において、前記摘子片が、略矩形状を有することを特徴とする。
【００２２】
本発明においては、摘子片が略矩形状を有した状態で固定されるので、突出部を引っ張るときに、摘子片が外れたり、ずれたりすることがより抑制されている。
【００２３】
第４発明に係る電池パックは、第３発明において、前記固定部が前記突出部より幅広であることを特徴とする。
【００２４】
本発明においては、突出部を引っ張るときに、摘子片が外れたり、ずれたりすることがより抑制されている。
【００２５】
第５発明に係る電池パックは、第１乃至第４発明のいずれかにおいて、前記ラベルは、基材層と、該基材層の一面に形成される粘着層と、前記基材層の他面に貼着されるラミネート層とからなり、前記固定部を挟む部分は、前記ラミネート層のみからなることを特徴とする。
【００２６】
本発明においては、ラベルの、摘子片の固定部と重なる部分の基材層及び粘着層が削除されているので、この部分の厚みが低減されている。
【００２７】
第６発明に係る電池パックは、第５発明において、前記固定部の表面に、文字、記号又は図が記録してあることを特徴とする。
【００２８】
本発明においては、予めロットＮｏ．等を表示する文字、記号又は図を固定部に印刷等により記録しておき、この固定部をラミネート層で覆った状態で素電池に固定するので、ロットＮｏ．等の表示の耐摩耗性及び耐アルコール性が良好である。
また、ロットＮｏ．等の表示用のラベルが不要となり、部品点数が削減される。
【発明の効果】
【００２９】
本発明によれば、摘子片が、ラベルと素電池の表面との間に挟まれて固定される固定部と、該固定部に連なり、前記表面から突出する突出部とを有するので、摘子片がラベルから独立しており、固定部のみに容易に粘着剤を塗布することができ、ラベルに粘着層非形成部分が生じないので、ラベルが素電池から浮くことがない。
そして、固定部によりラベルとの重なり代を大きく取ることができるので、突出部を引っ張るときに、摘子片が外れたり、ずれたりすることが抑制されている。
【００３０】
また、本発明によれば、素電池にラベルを端部同士が重なるように巻き付ける場合、固定部は、端部同士が重なる部分以外の部分と前記表面との間に固定されるので、厚み増加が抑制される。
【００３１】
そして、本発明によれば、摘子片が略矩形状を有し、また、略矩形状を有した状態で固定部が突出部より幅広であるように構成されているので、突出部を引っ張るときに、摘子片が外れたり、ずれたりすることがより抑制されている。
【００３２】
また、本発明によれば、ラベルの固定部を挟む部分は、基材層及び粘着層を省き、ラミネート層のみからなるように構成されているので、電池パックの厚み増加がさらに抑制されている。
【００３３】
さらに、本発明によれば、固定部の表面に、ロットＮｏ．等を表示する文字、記号又は図が記録されており、ロットＮｏ．の表示がラミネート層で覆われているので、表示の耐摩耗性及び耐アルコール性が良好である。
また、ロットＮｏ．等の表示用のラベルが不要となるので、部品点数が削減される。
【発明を実施するための最良の形態】
【００３４】
以下、本発明をその実施の形態を示す図面に基づき具体的に説明する。
実施の形態１．
図１は、本発明の実施の形態１に係る電池パック１を示す斜視図、図２は電池パック１を示す平面図、図３は電池パック１を示す裏面図、図４はラベル４及び摘子片５を示す平面図、図５はラベル４の積層構造を示す斜視図である。
電池パック１の素電池２は、角型平板状であり、例えばリチウムイオン二次電池等の非水電解質二次電池であり、正極及び負極をセパレータを介して巻回した電極群、並びに非水電解質を、アルミニウム又はアルミニウム合金製のケースに収納してなる。
この素電池２の一側面に保護回路（図示せず）を配した状態で、素電池２の各側面を例えばアクリロニトリルブタジエンスチレン（ＡＢＳ）製の外装枠３で覆い、素電池２の露出した二平面及び外装枠３の一部をラベル４で覆うことで電池パックが構成される。
【００３５】
ラベル４の矩形状の本体４１の一長辺には、外装枠３の一辺の一部を覆って素電池２の裏面側に折り返される突設部４２が設けられており、他長辺には、外装枠３の前記一辺に対向する他辺の一部を覆って素電池２の裏面側に折り返される突設部４３が設けられている。
例えばＰＥＴ製の摘子片５は、略矩形状であり、素電池２の裏面とラベル４との間に挟まれて固定される固定部５１と、前記裏面から面方向に突出する舌片状の突出部５２とを備えている。固定部５１の裏面には粘着剤が塗布されているが、突出部５２の裏面には粘着剤は塗布されていない。
【００３６】
図５に示すように、ラベル４は、例えばＰＥＴ製の基材層４ａと、基材層４ａの一面に形成される粘着層４ｂと、基材層４ａの他面に貼着され、例えばＰＰ製の表層及び接着剤層からなるラミネート層４ｃとを有している。
ラベル４は、基材層４ａの一面に粘着剤を塗布して粘着層４ｂを形成した後、基材層４ａの他面にラミネート層４ｃを貼着することにより作製される。
【００３７】
素電池２の裏面に摘子片５の固定部５１を貼着した上で、素電池２の裏面及び表面にラベル４の本体４１を巻き付け、外装枠３の前記一辺の一部を突設部４２により覆い、前記他辺の一部を突設部４３により覆った後、突出部５２が素電池２の表面側に折り畳まれた状態で、電池パック１が電子機器（図示せず）に収納される（図２及び図３参照）。
本体４１を素電池２の裏面に巻き付けるときに、本体４１の一端部４４は他端部４５に重ね合わされるが、固定部５１は、この重ね合わされる部分を避けて素電池２の裏面に貼付される。
電池パック１は、摘子片５の突出部５２を引っ張ることにより、収納された電子機器から容易に取り出される。
【００３８】
本実施の形態においては、摘子片５がラベル４から独立しているので、摘子片５の固定部５１のみに容易に粘着剤を塗布することができる。従って、ラベル８の本体８１に取出片８４を延設し、取出片８４に連なる本体８１には粘着層８ｂを形成しない従来の電池パック１４と異なり、ラベル４には、粘着層４ｂの非形成部分が生じない。そして、固定部５１を素電池２に貼着した上で、固定部５１を覆うようにラベル４の本体４１を貼着するので、ラベル４が素電池２から浮くことがない。
【００３９】
また、固定部５１が矩形状であり、ラベル４の本体４１との重なり代を大きく取ることができるので、突出部５２を引っ張るときに、摘子片５が外れたり、ずれたりすることが抑制されている。
そして、固定部５１は、端部同士が重なる部分以外の部分と素電池２の表面との間に固定されるように構成されているので、電池パックの厚みの増加が抑制されている。
【００４０】
実施の形態２．
図６は、本発明の実施の形態２に係る電池パックに備えられる摘子片６を示す平面図である。
この電池パックにおいては、摘子片６が異なる以外は、実施の形態１に係る電池パック１と同一の構成を有する。
摘子片６は、略矩形状であり、素電池２の裏面とラベル４との間に挟まれて固定される固定部６１と、素電池２の表面から突出する舌片状の突出部６２とを備えている。この摘子片６においては、固定部６１は、突出部６２より幅広に形成されている。
【００４１】
本実施の形態においては、突出部６２を引っ張るときに、摘子片６が外れたり、ずれたりすることがより抑制されている。
【００４２】
実施の形態３．
図７は本発明の実施の形態３に係る電池パック１１を示す平面図、図８は電池パック１１を示す裏面図、図９はラベル７及び摘子片５を示す平面図、図１０はラベル７の積層構造を示す斜視図である。図中、実施の形態１に係る電池パック１と同一部分は同一符号を付して詳細な説明を省略する。
【００４３】
ラベル７の矩形状の本体７１の一長辺には、外装枠３の一辺の一部を覆って素電池２の裏面側に折り返される突設部７２が設けられており、他長辺には、外装枠３の前記一辺に対向する他辺の一部を覆って素電池２の裏面側に折り返される突設部７３が設けられている。
【００４４】
図１０に示すように、ラベル７は、例えばＰＥＴ製の基材層７ａと、基材層７ａの一面に形成される粘着層７ｂと、基材層７ａの他面に貼着され、例えばＰＰ製の表層及び接着剤層からなるラミネート層７ｃとを有している。
図９及び図１０に示すように、本体７１の固定部５２を挟む部分は、基材層７ａ及び粘着層７ｂを有しない基材層非形成部７４とされている。
ラベル７は、基材層７ａの一面に粘着剤を塗布して粘着層７ｂを形成した後、基材層７ａの他面にラミネート層７ｃを貼着し、基材層非形成部７４に対応する部分につきラミネート層７ｃを残してハーフカットすることで得られる。
【００４５】
素電池２の裏面に摘子片５の固定部５１を貼着した上で、この固定部５１が基材層非形成部７４で覆われた状態で、素電池２の裏面及び表面にラベル７の本体７１を、一端部７５が他端部７６に重ね合わされるように巻き付け、外装枠３の前記一辺の一部を突設部４２により覆い、前記他辺の一部を突設部４３により覆った後、突出部５２が素電池２の表面側に折り畳まれた状態で、電池パック１１が電子機器（図示せず）に収納される（図７及び図８参照）。
【００４６】
本実施の形態によれば、ラベル７の、摘子片５の固定部５２と重なる基材層非形成部７４において、基材層７ａ及び粘着層７ｂが削除されているので、その分、厚みが低減している。このとき、基材層非形成部７４はラミネート層７ｃの接着剤層により素電池２の裏面に貼着されているので、固定部５１は素電池２へ強固に固定され、この部分でラベル７が浮くことがない。
【００４７】
実施の形態４．
図１１は本発明の実施の形態４に係る電池パック１２を示す平面図、図１２は電池パック１２を示す裏面図、図１３は摘子片５を示す平面図である。図中、実施の形態１に係る電池パック１及び実施の形態３に係る電池パック１１と同一部分は同一符号を付して詳細な説明を省略する。
【００４８】
本実施の形態に係る摘子片５の固定部５１には、電池パック１２のＬｏｔ．Ｎｏを示すロット表示５３が印刷されている。
【００４９】
ラベル７の基材層非形成部７４はラミネート層７ｃのみからなり、このラミネート層７ｃは透明であるので、図１２の裏面図に示すように、基材層非形成部７４に覆われた固定部５１のロット表示５３は外側から視認される。
このロット表示５３は、上述したように、ラミネート層７４で覆われているので、耐摩耗性及び耐アルコール性が良好である。
また、従来の電池パックのように、ロット表示用のラベルを貼付する必要がなく、部品点数が削減されている。
なお、本実施の形態においては、摘子片５の固定部５１にロット表示５３が印刷されている場合につき説明しているがこれに限定されるものではなく、固定部５１に他の文字、記号又は図を表示してもよく、また、固定部５２への記録の方法も印刷に限定されるものではない。
【００５０】
前記実施の形態１乃至４においては、素電池２が角型平板状である場合につき説明しているがこれに限定されるものではない。
また、前記実施の形態１乃至４においては、摘子片５が略矩形状、又は突出部５２が固定部５１より幅狭である凸形状を有する場合につき説明しているがこれに限定されるものではなく、摘子片５の形状は楕円状等であってもよく、突出部５２の形状も舌片状に限定されるものではない。
【００５１】
そして、前記実施の形態１乃至４においては、摘子片５の固定部５１が素電池２の平面とラベル４又は７との間に挿入されて固定される場合につき説明しているがこれに限定されるものではなく、素電池２の平面が合成樹脂製のケースで覆われており、このケースがさらにラベルで覆われる場合には、このケースとラベルとの間に固定部５１が挿入されて固定されるものであってもよい。
さらに、ラベル４及び７の作製方法は、前記実施の形態１及び３において説明した方法に限定されるものではなく、シルク印刷等により粘着層４ｂ及び７ｂを形成した後、基材層４ａ及び７ａ、並びにラミネート層４ｃ及び７ｃを積層することにしてもよい。
【図面の簡単な説明】
【００５２】
【図１】本発明の実施の形態１に係る電池パックを示す斜視図である。
【図２】電池パックを示す平面図である。
【図３】電池パックを示す裏面図である。
【図４】ラベル及び摘子片を示す平面図である。
【図５】ラベルの積層構造を示す斜視図である。
【図６】本発明の実施の形態２に係る電池パックに備えられる摘子片を示す平面図である。
【図７】本発明の実施の形態３に係る電池パックを示す平面図である。
【図８】電池パックを示す裏面図である。
【図９】ラベル及び摘子片を示す平面図である。
【図１０】ラベルの積層構造を示す斜視図である。
【図１１】本発明の実施の形態４に係る電池パックを示す平面図である。
【図１２】電池パックを示す裏面図である。
【図１３】摘子片を示す平面図である。
【図１４】従来の電池パックを示す斜視図である。
【図１５】電池パックを示す平面図である。
【図１６】電池パックを示す裏面図である。
【図１７】ラベルを示す平面図である。
【図１８】ラベルの積層構造を示す斜視図である。
【図１９】特許文献１等に記載された従来の電池パックを示す平面図である。
【図２０】電池パックを示す裏面図である。
【図２１】ラベル及び取出シートを示す平面図である。
【図２２】ラベルの積層構造を示す斜視図である。
【符号の説明】
【００５３】
１、１１、１２  電池パック
２  素電池
３  外装枠
４、７  ラベル
４１、７１  本体
４２、４３、７２、７３  突設部
４４、７５  一端部
４５、７６  他端部
７４  基材層非形成部
４ａ、７ａ  基材層
４ｂ、７ｂ  粘着層
４ｃ、７ｃ  ラミネート層
５、６  摘子片
５１、６１  固定部
５２、６２  突出部
５３  ロット表示
【図１】
2008171726.tif 000003
【図２】
2008171726.tif 000004
【図３】
2008171726.tif 000005
【図４】
2008171726.tif 000006
【図５】
2008171726.tif 000007
【図６】
2008171726.tif 000008
【図７】
2008171726.tif 000009
【図８】
2008171726.tif 000010
【図９】
2008171726.tif 000011
【図１０】
2008171726.tif 000012
【図１１】
2008171726.tif 000013
【図１２】
2008171726.tif 000014
【図１３】
2008171726.tif 000015
【図１４】
2008171726.tif 000016
【図１５】
2008171726.tif 000017
【図１６】
2008171726.tif 000018
【図１７】
2008171726.tif 000019
【図１８】
2008171726.tif 000020
【図１９】
2008171726.tif 000021
【図２０】
2008171726.tif 000022
【図２１】
2008171726.tif 000023
【図２２】
2008171726.tif 000024